(57)【要約】【課題】ユーザが所望する画角にするためのトリミングの処理を簡単に行うことができる画像処理装置を提供する。【解決手段】本発明の画像処理装置は、撮影された画像データの画像の一部を切り出す画像トリミング手段と、前記画像トリミング手段において切り出される画像の領域を示すトリミング枠を生成するトリミング枠生成手段と、前記画像トリミング手段において切り出される画像データの画像及び前記トリミング枠生成手段において生成されたトリミング枠を表示装置に表示する画像表示手段と、前記画像表示手段において表示されるトリミング枠の位置及び大きさを変更するトリミング枠変更手段と、を有し、前記撮影された画像データに関連する情報として設定された付加情報に基づいて、前記トリミング枠変更手段において変更できるトリミング枠の領域を制限することを特徴とする。【選択図】図２
2009043169.tif 000002
【特許請求の範囲】
【請求項１】
撮影された画像データの画像の一部を切り出す画像トリミング手段と、
前記画像トリミング手段において切り出される画像の領域を示すトリミング枠を生成するトリミング枠生成手段と、
前記画像トリミング手段において切り出される画像データの画像及び前記トリミング枠生成手段において生成されたトリミング枠を表示装置に表示する画像表示手段と、
前記画像表示手段において表示されるトリミング枠の位置及び大きさを変更するトリミング枠変更手段と、を有し、
前記撮影された画像データに関連する情報として設定された付加情報に基づいて、前記トリミング枠変更手段において変更できるトリミング枠の領域を制限することを特徴とする画像処理装置。
【請求項２】
前記撮影された画像データの画像から顔領域を検出する顔領域検出手段を更に有し、
前記付加情報として風景モードで撮影された情報が設定されている場合、前記顔領域検出手段によって検出された顔領域を含まないように、前記トリミング枠変更手段において変更できるトリミング枠の領域を制限することを特徴とする請求項１に記載の画像処理装置。
【請求項３】
撮影された画像データの画像の一部を切り出す画像トリミング手段と、
前記画像トリミング手段において切り出される画像の領域を示すトリミング枠を生成するトリミング枠生成手段と、
前記画像トリミング手段において切り出される画像データの画像及び前記トリミング枠生成手段において生成されたトリミング枠を表示装置に表示する画像表示手段と、
前記画像表示手段において表示されるトリミング枠の位置及び大きさを変更するトリミング枠変更手段と、を有し、
前記撮影された画像データに関連する情報として設定された付加情報に基づいて、前記トリミング枠の位置及び大きさの初期値を変更することを特徴とする画像処理装置。
【請求項４】
前記撮影された画像データの画像から顔領域を検出する顔領域検出手段を更に有し、
前記付加情報として風景モードで撮影された情報が設定されている場合、前記顔領域検出手段によって検出された顔領域を含まないように、前記トリミング枠の位置及び大きさの初期値を変更することを特徴とする請求項３に記載の画像処理装置。
【請求項５】
前記トリミング枠変更手段によって変更される前記トリミング枠が、前記顔領域検出手段において検出された顔領域にかかるように変更された場合、ユーザに通知する通知手段を更に有することを特徴とする請求項２又は４に記載の画像処理装置。
【請求項６】
前記画像トリミング手段において切り出される画像データの選択を検出する画像選択検出手段を更に有することを特徴とする請求項１乃至５の何れか１項に記載の画像処理装置。
【請求項７】
撮影された画像データの画像から顔領域を検出する顔領域検出手段と、
前記撮影された画像データの画像の一部を切り出す画像トリミング手段と、
前記画像トリミング手段において切り出される画像の領域を示すトリミング枠を生成するトリミング枠生成手段と、
前記画像トリミング手段において切り出される画像データの画像及び前記トリミング枠生成手段において生成されたトリミング枠を表示装置に表示する画像表示手段と、
前記画像表示手段において表示されるトリミング枠の位置及び大きさを変更するトリミング枠変更手段と、を有し、
前記顔領域検出手段において検出された顔領域の顔領域情報に基づいて、前記トリミング枠変更手段において変更できるトリミング枠の領域を制限することを特徴とする画像処理装置。
【請求項８】
前記顔領域検出手段により検出された顔領域が所定の範囲外である場合、前記顔領域を含まないように、前記トリミング枠変更手段において変更できるトリミング枠の領域を制限することを特徴とする請求項７に記載の画像処理装置。
【請求項９】
前記顔領域検出手段により検出された顔領域が所定の範囲外である場合、前記画像トリミング手段は前記顔領域を含まないように、前記撮影された画像データの画像の一部を切り出すことを特徴とする請求項７に記載の画像処理装置。
【請求項１０】
前記顔領域検出手段により検出された顔領域が所定の範囲外である場合、前記画像表示手段は、トリミング編集画面を表示することを特徴とする請求項７に記載の画像処理装置。
【請求項１１】
画像データに付加された付加情報を判定する判定手段と、
前記判定手段において判定された結果に応じて前記画像データの切り出される領域を示すトリミング枠を生成するトリミング枠生成手段と、
前記トリミング枠生成手段において生成されたトリミング枠を表示するように制御する表示制御手段と、を有することを特徴とする画像処理装置。
【請求項１２】
撮影された画像データの画像の一部を切り出す画像トリミングステップと、
前記画像トリミングステップにおいて切り出される画像の領域を示すトリミング枠を生成するトリミング枠生成ステップと、
前記画像トリミングステップにおいて切り出される画像データの画像及び前記トリミング枠生成ステップにおいて生成されたトリミング枠を表示装置に表示する画像表示ステップと、
前記画像表示ステップにおいて表示されるトリミング枠の位置及び大きさを変更するトリミング枠変更ステップと、を有し、
前記撮影された画像データに関連する情報として設定された付加情報に基づいて、前記トリミング枠変更ステップにおいて変更できるトリミング枠の領域を制限することを特徴とする画像処理装置における画像処理方法。
【請求項１３】
撮影された画像データの画像の一部を切り出す画像トリミングステップと、
前記画像トリミングステップにおいて切り出される画像の領域を示すトリミング枠を生成するトリミング枠生成ステップと、
前記画像トリミングステップにおいて切り出される画像データの画像及び前記トリミング枠生成ステップにおいて生成されたトリミング枠を表示装置に表示する画像表示ステップと、
前記画像表示ステップにおいて表示されるトリミング枠の位置及び大きさを変更するトリミング枠変更ステップと、を有し、
前記撮影された画像データに関連する情報として設定された付加情報に基づいて、前記トリミング枠の位置及び大きさの初期値を変更することを特徴とする画像処理装置における画像処理方法。
【請求項１４】
撮影された画像データの画像から顔領域を検出する顔領域検出ステップと、
前記撮影された画像データの画像の一部を切り出す画像トリミングステップと、
前記画像トリミングステップにおいて切り出される画像の領域を示すトリミング枠を生成するトリミング枠生成ステップと、
前記画像トリミングステップにおいて切り出される画像データの画像及び前記トリミング枠生成ステップにおいて生成されたトリミング枠を表示装置に表示する画像表示ステップと、
前記画像表示ステップにおいて表示されるトリミング枠の位置及び大きさを変更するトリミング枠変更ステップと、を有し、
前記顔領域検出ステップにおいて検出された顔領域の顔領域情報に基づいて、前記トリミング枠変更ステップにおいて変更できるトリミング枠の領域を制限することを特徴とする画像処理装置における画像処理方法。
【請求項１５】
画像データに付加された付加情報を判定する判定ステップと、
前記判定ステップにおいて判定された結果に応じて前記画像データの切り出される領域を示すトリミング枠を生成するトリミング枠生成ステップと、
前記トリミング枠生成ステップにおいて生成されたトリミング枠を表示するように制御する表示制御ステップと、を有することを特徴とする画像処理装置における画像処理方法。
【請求項１６】
撮影された画像データの画像の一部を切り出す画像トリミングステップと、
前記画像トリミングステップにおいて切り出される画像の領域を示すトリミング枠を生成するトリミング枠生成ステップと、
前記画像トリミングステップにおいて切り出される画像データの画像及び前記トリミング枠生成ステップにおいて生成されたトリミング枠を表示装置に表示する画像表示ステップと、
前記画像表示ステップにおいて表示されるトリミング枠の位置及び大きさを変更するトリミング枠変更ステップと、をコンピュータに実行させるためのプログラムであって、
前記撮影された画像データに関連する情報として設定された付加情報に基づいて、前記トリミング枠変更ステップにおいて変更できるトリミング枠の領域を制限することを特徴とするプログラム。
【請求項１７】
撮影された画像データの画像の一部を切り出す画像トリミングステップと、
前記画像トリミングステップにおいて切り出される画像の領域を示すトリミング枠を生成するトリミング枠生成ステップと、
前記画像トリミングステップにおいて切り出される画像データの画像及び前記トリミング枠生成ステップにおいて生成されたトリミング枠を表示装置に表示する画像表示ステップと、
前記画像表示ステップにおいて表示されるトリミング枠の位置及び大きさを変更するトリミング枠変更ステップと、をコンピュータに実行させるためのプログラムであって、
前記撮影された画像データに関連する情報として設定された付加情報に基づいて、前記トリミング枠の位置及び大きさの初期値を変更することを特徴とするプログラム。
【請求項１８】
撮影された画像データの画像から顔領域を検出する顔領域検出ステップと、
前記撮影された画像データの画像の一部を切り出す画像トリミングステップと、
前記画像トリミングステップにおいて切り出される画像の領域を示すトリミング枠を生成するトリミング枠生成ステップと、
前記画像トリミングステップにおいて切り出される画像データの画像及び前記トリミング枠生成ステップにおいて生成されたトリミング枠を表示装置に表示する画像表示ステップと、
前記画像表示ステップにおいて表示されるトリミング枠の位置及び大きさを変更するトリミング枠変更ステップと、をコンピュータに実行させるためのプログラムであって、
前記顔領域検出ステップにおいて検出された顔領域の顔領域情報に基づいて、前記トリミング枠変更ステップにおいて変更できるトリミング枠の領域を制限することを特徴とするプログラム。
【請求項１９】
画像データに付加された付加情報を判定する判定ステップと、
前記判定ステップにおいて判定された結果に応じて前記画像データの切り出される領域を示すトリミング枠を生成するトリミング枠生成ステップと、
前記トリミング枠生成ステップにおいて生成されたトリミング枠を表示するように制御する表示制御ステップと、をコンピュータに実行させるためのプログラム。
【発明の詳細な説明】
【技術分野】
【０００１】
本発明は画像処理装置、画像処理方法及びプログラムに関するものであり、撮影した画像の画像処理を行うことができるデジタルカメラやプリンタに用いられて好適である。
【背景技術】
【０００２】
従来から、撮影された画像等に対して、ユーザが不要な部分を取り除き最適な構図を切り出す、いわゆるトリミングを行い、新たな画像として保存したり印刷したりすることできるデジタルカメラやプリンタが開発されている。
【０００３】
例えば、特許文献１には、撮影した画像から、人物画像が立っているか座っているかを表す情報、顔の向きを表す情報、人数を表す情報から、ユーザが好ましいと考える画像のトリミングを行う画像処理装置が開示されている。
【０００４】
【特許文献１】特開２００４−２７４４２８号公報
【発明の開示】
【発明が解決しようとする課題】
【０００５】
しかしながら、ユーザが最適と考える構図は、人物を中心としたものだけに限られるものではない。例えば、ユーザは風景を中心として撮影したいと考える場合がある。このように風景を中心として撮影した場合であっても、撮影された画像の端にユーザが意図しない不要な人物が写りこんでしまうことがある。このような場合、ユーザが最適と考える構図は、不要な人物を取り除いた構図である。従って、ユーザは、最適と思う構図になるように、画像の一部を切り出す領域を指定した後、トリミングの処理を指示しなければならなった。
【０００６】
本発明は上述したような問題点に鑑みてなされたものであり、ユーザが所望する構図にするためのトリミングの処理を簡単に行うことができるようにする。
【課題を解決するための手段】
【０００７】
本発明の画像処理装置は、撮影された画像データの画像の一部を切り出す画像トリミング手段と、前記画像トリミング手段において切り出される画像の領域を示すトリミング枠を生成するトリミング枠生成手段と、前記画像トリミング手段において切り出される画像データの画像及び前記トリミング枠生成手段において生成されたトリミング枠を表示装置に表示する画像表示手段と、前記画像表示手段において表示されるトリミング枠の位置及び大きさを変更するトリミング枠変更手段と、を有し、前記撮影された画像データに関連する情報として設定された付加情報に基づいて、前記トリミング枠変更手段において変更できるトリミング枠の領域を制限することを特徴とする。
【０００８】
また、本発明の画像処理装置は、撮影された画像データの画像の一部を切り出す画像トリミング手段と、前記画像トリミング手段において切り出される画像の領域を示すトリミング枠を生成するトリミング枠生成手段と、前記画像トリミング手段において切り出される画像データの画像及び前記トリミング枠生成手段において生成されたトリミング枠を表示装置に表示する画像表示手段と、前記画像表示手段において表示されるトリミング枠の位置及び大きさを変更するトリミング枠変更手段と、を有し、前記撮影された画像データに関連する情報として設定された付加情報に基づいて、前記トリミング枠の位置及び大きさの初期値を変更することを特徴とする。
【０００９】
また、本発明の画像処理装置は、撮影された画像データの画像から顔領域を検出する顔領域検出手段と、前記撮影された画像データの画像の一部を切り出す画像トリミング手段と、前記画像トリミング手段において切り出される画像の領域を示すトリミング枠を生成するトリミング枠生成手段と、前記画像トリミング手段において切り出される画像データの画像及び前記トリミング枠生成手段において生成されたトリミング枠を表示装置に表示する画像表示手段と、前記画像表示手段において表示されるトリミング枠の位置及び大きさを変更するトリミング枠変更手段と、を有し、前記顔領域検出手段において検出された顔領域の顔領域情報に基づいて、前記トリミング枠変更手段において変更できるトリミング枠の領域を制限することを特徴とする。
【００１０】
また、本発明の画像処理措置は、画像データに付加された付加情報を判定する判定手段と、前記判定手段において判定された結果に応じて前記画像データの切り出される領域を示すトリミング枠を生成するトリミング枠生成手段と、前記トリミング枠生成手段において生成されたトリミング枠を表示するように制御する表示制御手段と、を有することを特徴とする。
【００１１】
また、本発明の画像処理装置における画像処理方法は、撮影された画像データの画像の一部を切り出す画像トリミングステップと、前記画像トリミングステップにおいて切り出される画像の領域を示すトリミング枠を生成するトリミング枠生成ステップと、前記画像トリミングステップにおいて切り出される画像データの画像及び前記トリミング枠生成ステップにおいて生成されたトリミング枠を表示装置に表示する画像表示ステップと、前記画像表示ステップにおいて表示されるトリミング枠の位置及び大きさを変更するトリミング枠変更ステップと、を有し、前記撮影された画像データに関連する情報として設定された付加情報に基づいて、前記トリミング枠変更ステップにおいて変更できるトリミング枠の領域を制限することを特徴とする。
【００１２】
また、本発明の画像処理装置における画像処理方法は、撮影された画像データの画像の一部を切り出す画像トリミングステップと、前記画像トリミングステップにおいて切り出される画像の領域を示すトリミング枠を生成するトリミング枠生成ステップと、前記画像トリミングステップにおいて切り出される画像データの画像及び前記トリミング枠生成ステップにおいて生成されたトリミング枠を表示装置に表示する画像表示ステップと、前記画像表示ステップにおいて表示されるトリミング枠の位置及び大きさを変更するトリミング枠変更ステップと、を有し、前記撮影された画像データに関連する情報として設定された付加情報に基づいて、前記トリミング枠の位置及び大きさの初期値を変更することを特徴とする。
【００１３】
また、本発明の画像処理装置における画像処理方法は、撮影された画像データの画像から顔領域を検出する顔領域検出ステップと、前記撮影された画像データの画像の一部を切り出す画像トリミングステップと、前記画像トリミングステップにおいて切り出される画像の領域を示すトリミング枠を生成するトリミング枠生成ステップと、前記画像トリミングステップにおいて切り出される画像データの画像及び前記トリミング枠生成ステップにおいて生成されたトリミング枠を表示装置に表示する画像表示ステップと、前記画像表示ステップにおいて表示されるトリミング枠の位置及び大きさを変更するトリミング枠変更ステップと、を有し、前記顔領域検出ステップにおいて検出された顔領域の顔領域情報に基づいて、前記トリミング枠変更ステップにおいて変更できるトリミング枠の領域を制限することを特徴とする。
【００１４】
また、本発明の画像処理装置における画像処理方法は、画像データに付加された付加情報を判定する判定ステップと、前記判定ステップにおいて判定された結果に応じて前記画像データの切り出される領域を示すトリミング枠を生成するトリミング枠生成ステップと、前記トリミング枠生成ステップにおいて生成されたトリミング枠を表示するように制御する表示制御ステップと、を有することを特徴とする。
【００１５】
本発明のプログラムは、撮影された画像データの画像の一部を切り出す画像トリミングステップと、前記画像トリミングステップにおいて切り出される画像の領域を示すトリミング枠を生成するトリミング枠生成ステップと、前記画像トリミングステップにおいて切り出される画像データの画像及び前記トリミング枠生成ステップにおいて生成されたトリミング枠を表示装置に表示する画像表示ステップと、前記画像表示ステップにおいて表示されるトリミング枠の位置及び大きさを変更するトリミング枠変更ステップと、をコンピュータに実行させるためのプログラムであって、前記撮影された画像データに関連する情報として設定された付加情報に基づいて、前記トリミング枠変更ステップにおいて変更できるトリミング枠の領域を制限することを特徴とする。
【００１６】
また、本発明のプログラムは、撮影された画像データの画像の一部を切り出す画像トリミングステップと、前記画像トリミングステップにおいて切り出される画像の領域を示すトリミング枠を生成するトリミング枠生成ステップと、前記画像トリミングステップにおいて切り出される画像データの画像及び前記トリミング枠生成ステップにおいて生成されたトリミング枠を表示装置に表示する画像表示ステップと、前記画像表示ステップにおいて表示されるトリミング枠の位置及び大きさを変更するトリミング枠変更ステップと、をコンピュータに実行させるためのプログラムであって、前記撮影された画像データに関連する情報として設定された付加情報に基づいて、前記トリミング枠の位置及び大きさの初期値を変更することを特徴とする。
【００１７】
また、本発明のプログラムは、撮影された画像データの画像から顔領域を検出する顔領域検出ステップと、前記撮影された画像データの画像の一部を切り出す画像トリミングステップと、前記画像トリミングステップにおいて切り出される画像の領域を示すトリミング枠を生成するトリミング枠生成ステップと、前記画像トリミングステップにおいて切り出される画像データの画像及び前記トリミング枠生成ステップにおいて生成されたトリミング枠を表示装置に表示する画像表示ステップと、前記画像表示ステップにおいて表示されるトリミング枠の位置及び大きさを変更するトリミング枠変更ステップと、をコンピュータに実行させるためのプログラムであって、前記顔領域検出ステップにおいて検出された顔領域の顔領域情報に基づいて、前記トリミング枠変更ステップにおいて変更できるトリミング枠の領域を制限することを特徴とする。
【００１８】
また、本発明のプログラムは、画像データに付加された付加情報を判定する判定ステップと、前記判定ステップにおいて判定された結果に応じて前記画像データの切り出される領域を示すトリミング枠を生成するトリミング枠生成ステップと、前記トリミング枠生成ステップにおいて生成されたトリミング枠を表示するように制御する表示制御ステップと、をコンピュータに実行させることを特徴とする。
【発明の効果】
【００１９】
本発明によれば、ユーザが所望する構図にするためのトリミングの処理を簡単に行うことができる。
【発明を実施するための最良の形態】
【００２０】
（第１の実施形態）
以下、図面を参照して本発明に係る実施形態について説明する。
図１は、本発明を適用した画像処理装置を含むデジタルカメラ１００の構成を示す図である。図１において、１０は撮影レンズである。１２は絞り機能を備えるシャッターである。１４は光学像を電気信号に変換する撮像素子である。１６は撮像素子１４のアナログ信号出力をディジタル信号に変換するＡ／Ｄ変換器である。
【００２１】
１８は撮像素子１４と、Ａ／Ｄ変換器１６と、Ｄ／Ａ変換器２６にクロック信号や制御信号を供給するタイミング発生回路であり、メモリ制御部２２及びシステム制御部５０により制御される。
【００２２】
２０は画像処理部であり、Ａ／Ｄ変換器１６からのデータ或いはメモリ制御部２２からのデータに対して所定の画素補間処理や色変換処理を行う。また、画像処理部２０においては、撮影した画像データを用いて所定の演算処理を行う。得られた演算結果に基づいてシステム制御部５０が露光制御部４０、測距制御部４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行う。さらに、画像処理部２０は、撮影した画像データを用いて所定の演算処理を行い、得られた演算結果に基づいてＴＴＬ方式のＡＷＢ（オートホワイトバランス）処理も行っている。画像処理部２０は、顔領域検出部２０ａを含む。顔領域検出部２０ａは、撮像素子１４のアナログ信号出力をＡ／Ｄ変換器１６でディジタル信号に変換された画像データや撮影後の画像データから顔領域を検出する。
【００２３】
２２はメモリ制御部であり、Ａ／Ｄ変換器１６、タイミング発生回路１８、画像処理部２０、画像表示メモリ２４、Ｄ／Ａ変換器２６、メモリ３０、圧縮・伸長回路３２を制御する。Ａ／Ｄ変換器１６のデータが画像処理部２０、メモリ制御部２２を介して、或いはＡ／Ｄ変換器１６のデータが直接メモリ制御部２２を介して、画像表示メモリ２４或いはメモリ３０に書き込まれる。
【００２４】
２４は画像表示メモリである。２６はＤ／Ａ変換器である。２８はＴＦＴＬＣＤ等からなる表示装置としての画像表示部である。画像表示メモリ２４に書き込まれた表示用の画像データはＤ／Ａ変換器２６を介して画像表示部２８に表示される。画像表示部２８を用いて撮影した画像データを逐次表示すれば、電子ファインダ機能を実現することが可能である。また、画像表示部２８は、システム制御部５０の指示により任意に表示をＯＮ／ＯＦＦすることが可能であり、表示をＯＦＦにした場合にはデジタルカメラ１００の電力消費を大幅に低減することができる。
【００２５】
３０は撮影した画像（静止画像データや動画像データ）を格納するためのメモリであり、所定枚数の静止画像データや所定時間の動画像データを格納するのに十分な記憶量を備えている。これにより、複数枚の静止画像データを連続して撮影する連写撮影やパノラマ撮影の場合にも、高速かつ大量の画像書き込みをメモリ３０に対して行うことが可能となる。また、メモリ３０はシステム制御部５０の作業領域としても使用することが可能である。
【００２６】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２７】
４０は絞り機能を備えるシャッター１２を制御する露光制御部であり、フラッシュ４８と連携することによりフラッシュ調光機能も有するものである。４２は撮影レンズ１０のフォーカシングを制御する測距制御部である。４４は撮影レンズ１０のズーミングを制御するズーム制御部である。４６はバリアである保護手段１０２の動作を制御するバリア制御部である。４８はフラッシュであり、ＡＦ補助光の投光機能、フラッシュ調光機能も有する。
【００２８】
５０はデジタルカメラ１００全体を制御するシステム制御部５０である。システム制御部５０は、例えば、取得した画像データに対して画像処理部２０が演算した演算結果に基づき、露光制御部４０や測距制御部４２を制御する。また、システム制御部５０は、トリミング枠制御部５０ａを含む。システム制御部５０は、トリミング枠のサイズ及び位置の初期値を算出しトリミング枠を生成したり、トリミング枠のサイズ及び位置の変更をしたりして、トリミング枠を制御する。５２はシステム制御部５０の動作用の定数、変数、プログラム等を記憶するメモリである。
【００２９】
５４はシステム制御部５０でのプログラムの実行に応じて、文字、画像、音声等を用いて動作状態やメッセージ等を表示する液晶表示装置（スピーカ等を含む）の表示部である。表示部５４は、デジタルカメラ１００の操作部近辺の視認し易い位置に単数或いは複数個所設置され、例えばＬＣＤやＬＥＤ、発音素子等の組み合わせにより構成されている。また、表示部５４は、その一部の機能が光学ファインダ１０４内に設置されている。
【００３０】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示がある。その他、露出補正表示、フラッシュ表示、赤目緩和表示、マクロ撮影表示、ブザー設定表示、時計用電池残量表示、電池残量表示、エラー表示、複数桁の数字による情報表示、外部記録媒体１２０の着脱状態表示、通信Ｉ／Ｆ動作表示、日付け・時刻表示、等がある。
【００３１】
また、表示部５４の表示内容のうち、光学ファインダ１０４内に表示するものとしては、合焦表示、手振れ警告表示、フラッシュ充電表示、シャッタースピード表示、絞り値表示、露出補正表示、等がある。
【００３２】
５６は電気的に消去・記録可能な不揮発性メモリであり、例えばＥＥＰＲＯＭ等が用いられる。６０、６１、６２、６４、６６、６８及び７０は、システム制御部５０の各種の動作指示を入力するための操作手段であり、スイッチやダイアル、タッチパネル、視線検知によるポインティング、音声認識装置等の単数或いは複数の組み合わせで構成される。
【００３３】
ここで、これらの操作手段の具体的な説明を行う。６０はモードダイアルスイッチであり、電源オフ、自動撮影モード、撮影モード、パノラマ撮影モード、再生モード、マルチ画面再生・消去モード、ＰＣ接続モード等の各機能モードを切り替え設定することができる。６１はシャッターボタンであり、静止画撮影等するための指示等をユーザから受け付ける。
６２はシャッタースイッチＳＷ１であり、シャッターボタン６１の操作途中（半押し）でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３４】
６４はシャッタースイッチＳＷ２で、不図示のシャッターボタンの操作完了（全押し）でＯＮとなる。シャッタースイッチＳＷ２がＯＮになると、撮像素子１４から読み出した信号をＡ／Ｄ変換器１６、メモリ制御部２２を介してメモリ３０に画像データを書き込む露光処理、画像処理部２０やメモリ制御部２２での演算を用いた現像処理が行われる。さらにメモリ３０から画像データを読み出し、圧縮・伸長回路３２で圧縮を行い、外部記録媒体１２０に画像データを書き込む記録処理という一連の処理の動作開始を指示する。
【００３５】
６６は画像表示ＯＮ／ＯＦＦスイッチであり、画像表示部２８のＯＮ／ＯＦＦを設定することができる。この機能により、光学ファインダ１０４を用いて撮影を行う際に、ＴＦＴＬＣＤ等から成る画像表示部２８への電流供給を遮断することにより、省電力を図ることが可能となる。
６８はクイックレビューＯＮ／ＯＦＦスイッチであり、撮影直後に撮影した画像データを自動再生するクイックレビュー機能を設定するための指示を受け付ける。例えば、画像表示部２８をＯＦＦとした場合におけるクイックレビュー機能の設定を受け付ける機能を備えている。
【００３６】
７０は各種ボタンやタッチパネル等からなる操作部であり、メニューボタン、セットボタン、マクロボタン、マルチ画面再生改ページボタン、フラッシュ設定ボタン、単写／連写／セルフタイマー切り替えボタンがある。その他、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン等がある。
【００３７】
８０は電源制御部であり、電池検出回路、ＤＣ−ＤＣコンバータ、通電するブロックを切り替えるスイッチ回路等により構成されている。電源制御部８０は、電池の装着の有無、電池の種類、電池残量の検出を行い、検出結果及びシステム制御部５０の指示に基づいてＤＣ−ＤＣコンバータを制御し、必要な電圧を必要な期間、記録媒体を含む各部へ供給する。８２及び８４はコネクタである。８６はアルカリ電池やリチウム電池等の一次電池やＮｉＣｄ電池やＮｉＭＨ電池、Ｌｉ電池等の二次電池、ＡＣアダプター等からなる電源である。
【００３８】
９０はメモリカード等の外部記録媒体１２０とデータの送受信を行うカードコントローラである。９１はメモリカード等の外部記録媒体１２０とのインタフェースである。９２はメモリカード等の外部記録媒体１２０と接続を行うコネクタである。９８はコネクタ９２に外部記録媒体１２０が装着されているか否かを検知する記録媒体着脱検知部である。なお、本実施形態では記録媒体１２０を取り付けるインタフェース９１やコネクタ９２は、単数或いは複数、いずれの系統数を備える構成としてもよい。また、異なる規格のインタフェース及びコネクタを組み合わせて備える構成としてもよい。インタフェース９１及びコネクタ９２としては、ＰＣＭＣＩＡカードやＣＦ（コンパクトフラッシュ（登録商標））カード等の規格に準拠したものを用いて構成してもよい。その場合、ＬＡＮカードやモデムカード、ＵＳＢカード、ＩＥＥＥ１３９４カード、Ｐ１２８４カード、ＳＣＳＩカード、ＰＨＳ等の通信カード等の各種通信カードを接続する。これにより他のコンピュータやプリンタ等の周辺機器との間で画像データや画像データに付属した管理情報を転送し合うことができる。
【００３９】
１０２はデジタルカメラ１００のレンズ１０を含む撮像部を覆うことにより、撮像部の汚れや破損を防止するバリアである保護手段である。１０４は光学ファインダであり、画像表示部２８による電子ファインダ機能を使用することなく、光学ファインダのみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示等が設置されている。
以上がデジタルカメラ１００の全体のシステム構成である。
【００４０】
なお、モードダイアルスイッチ６０を撮影モードに設定し、操作部７０に含まれる撮影モード設定スイッチや、ＧＵＩのメニューを操作することにより、風景を撮影するのに適した風景モードに設定することができる。風景モードで撮影すると、撮影された画像データに関連する情報として風景モードで撮影されたことを示す風景タグが、自動的に画像データに対し付加情報として付加（設定）される。
【００４１】
次に、撮影モードにおいて画像表示部２８に撮影された画像と共にトリミング枠を表示する処理について図２を用いて説明する。図２は、撮影モードでの動作処理を示すフローチャートである。
まず、ユーザが、モードダイアルスイッチ６０を撮影モードにし、シャッターボタン６１を押すことにより撮影した画像データはメモリ３０に格納される。メモリ３０に格納された画像データを圧縮・伸長回路３２に読み込んで圧縮処理を行い、処理を終えた画像データをメモリ３０に書き込む。メモリ３０に格納された圧縮画像データは撮影に関連する付加情報と共に外部記録媒体１２０に格納される。次に外部記録媒体１２０に格納された圧縮画像データをメモリ３０に読み出し、メモリ３０に格納された圧縮画像データを圧縮・伸長回路３２に読み込んで伸長処理を行い、処理を終えた画像データをメモリ３０に書き込む。
【００４２】
まず、ステップＳ２０１において、システム制御部５０は、メモリ３０に格納された伸長処理を終えた画像データを画像処理部２０に読み込む。画像処理部２０の顔領域検出部２０ａは、画像データから顔領域を検出する。
次に、ステップＳ２０２において、システム制御部５０は、顔領域検出部２０ａがステップＳ２０１において顔領域を検出したか否かを判定する。顔領域を検出した場合、ステップＳ２０３に処理を進める。顔領域を検出しない場合、画像表示部２８に画像データを表示して終了する。
【００４３】
ステップＳ２０３において、システム制御部５０は、外部記録媒体１２０から読み出された画像データ、即ち顔領域が検出された画像データに風景タグが付加情報として付加されているか否かを判定する。風景モードで撮影され、風景タグが付加されている場合はステップＳ２０６に処理を進める。風景タグが付加されていない場合、ステップＳ２０４に処理を進める。
【００４４】
ステップＳ２０６において、システム制御部５０のトリミング枠制御部５０ａは、検出された顔領域の顔領域情報からトリミング枠の設定禁止領域を算出する。トリミング枠の設定禁止領域は、検出された顔領域を含み、顔領域に一番近い画面の角を含んだ矩形とする。ここで、ステップＳ２０６におけるトリミング枠の設定禁止領域を算出する処理を図３に示すような画像を撮影した場合について説明する。ステップＳ２０１の顔領域検出において、顔領域検出部２０ａは、図３で示す大きさと位置に顔領域３０１を検出したものとする。トリミング枠制御部５０ａは、検出した顔領域３０１の角のうち、画像表示部２８の画面の角と一番近い角を判定する。図３の顔領域３０１の場合、トリミング枠制御部５０ａは、顔領域３０１の角のうち右下の角であると判定する。なお、トリミング枠制御部５０ａは、一番近い角を顔領域３０１の顔領域情報に基づいて判定する。顔領域情報とは顔領域の座標等を含む情報である。次に、トリミング枠制御部５０ａは、一番近いと判定した角と接しない２辺を画面端部へ伸ばすようにして算出した領域をトリミング枠の設定禁止領域とする。図３の顔領域３０１の場合、トリミング枠制御部５０ａは、顔領域３０１を含み、顔領域３０１の左辺を下方向へ伸ばし、上辺を右方向へ伸ばした領域をトリミング枠の設定禁止領域として算出する。ここで、トリミング枠の設定禁止領域は図４に示す領域４０１になる。
【００４５】
次に、ステップＳ２０７において、トリミング枠制御部５０ａは、ステップＳ２０６で算出したトリミング枠の設定禁止領域に基づいて、トリミング枠の位置及び大きさの初期値を算出する。トリミング枠制御部５０ａは、トリミング枠の位置及び大きさの初期値が設定禁止領域を含まないようにトリミング枠を算出（生成）する（トリミング枠生成手段）。このとき、元の画像と同じアスペクト比でトリミングする場合、画角の中心を変えたくなければ、算出するトリミング枠を、図４に示すトリミング枠４０２のように、設定禁止領域４０１を含まない領域で、画像の中心が変わらない位置及び大きさにする。また、なるべく大きな画角を確保したいのであれば、トリミング枠を図４に示すトリミング枠４０３のように、設定禁止領域４０１を含まない領域で、可能な限り大きな領域となる位置及び大きさにする。このように画角の中心を変えないようにするか、なるべく大きな画角を確保するようにするかは、ユーザが選択できるようにしてもよい。
【００４６】
次に、ステップＳ２０８において、システム制御部５０は、トリミング編集画面に移行する。ステップＳ２０８では、まず、システム制御部５０は、メモリ３０に格納された伸長処理を終えた画像データからメモリ制御部２２を介して再生表示用画像データを画像表示メモリ２４に格納する。次に、トリミング枠制御部５０ａは、ステップＳ２０７において算出したトリミング枠の位置及び大きさの情報（トリミング枠情報）を画像表示メモリ２４に格納し、画像データに重ねてトリミング枠を表示する（画像表示手段）。このような状態でユーザがトリミングを指示することで、システム制御部５０は、トリミングを実行する（画像トリミング手段）。
【００４７】
なお、ユーザはトリミング編集画面において、操作部７０を用いてトリミング枠の位置及び大きさを変更する変更操作を行うことができる。トリミング枠制御部５０ａは、ユーザ操作に応じて、トリミング枠の位置及び大きさを変更する（トリミング枠変更手段）。このとき、トリミング枠制御部５０ａは、変更できるトリミング枠の領域を設定禁止領域にかからないように制限する。ユーザが設定禁止領域を超えてトリミング枠の領域を変更する変更操作を行った場合、システム制御部５０は、そのユーザ操作を検出すると、画像表示部２８にメッセージを表示したり、通知音を発生させたりしてユーザに対して通知するようにする（通知手段）。なお、本実施形態ではトリミング枠の領域の変更できる範囲をトリミング枠設定禁止領域にかからない範囲とする場合について説明したが、この場合に限られない。例えば、トリミング枠の変更できる範囲を画像表示部２８の全画面であってもよい。この場合、システム制御部５０は、ユーザによる設定禁止領域を超えてトリミング枠の領域を変更する変更操作を検出すると、画像表示部２８にメッセージを表示したり、通知音を発生させたりしてユーザに対して通知するようにする（通知手段）。
【００４８】
ステップＳ２０４及びステップＳ２０５において、システム制御部５０は検出した顔領域の顔領域情報から意図せず写ってしまった顔領域があるか否かの判定を行う。より具体的に説明すると、システム制御部５０は、検出された顔領域のそれぞれについて一番近い顔領域までの距離を求め、それぞれの距離を比較し、所定の距離以上離れている顔領域は意図せず写ってしまった顔と判断する。ここで、ステップＳ２０４及びステップＳ２０５における意図せず移ってしまった顔を判断する処理を図５に示すような画像を撮影した場合について説明する。ステップＳ２０１の顔領域検出において、顔領域検出部２０ａは、図５で示す顔領域５０１〜５０４の４つの顔が検出したものとする。システム制御部５０は、これら４つの顔についてそれぞれ一番近い顔を、検出した顔領域の中心座標間の距離により求める。システム制御部５０は、顔領域５０１の顔に一番近い顔は顔領域５０２の顔であると判断する。また、システム制御部５０は、顔領域５０２の顔に一番近い顔は顔領域５０３の顔であると判断する。また、システム制御部５０は、顔領域５０３の顔に一番近い顔は顔領域５０２の顔であると判断する。また、システム制御部５０は、顔領域５０４の顔に一番近い顔は顔領域５０３の顔であると判断する。このとき、顔領域５０１の顔と顔領域５０２の顔との距離及び顔領域５０２の顔と顔領域５０３の顔との距離に対して、顔領域５０３の顔と顔領域５０４の顔との距離が所定の距離以上離れている。従って、システム制御部５０は、顔領域５０４の顔を意図せず写ってしまった顔と判定する。このように、システム制御部５０は、意図せず写ってしまった顔があるか否か、即ち所定の範囲外の顔が検出されたか否かを判定する。所定の範囲外の顔が検出された場合、システム制御部５０は、ステップＳ２０６に処理を進める。
【００４９】
ステップＳ２０６において、トリミング枠制御部５０ａは、風景モードで撮影したときと同様、検出された顔領域の顔領域情報からトリミング枠の設定禁止領域を算出する。トリミング枠の設定禁止領域は、所定の範囲外の顔の顔領域を含み、その顔領域に一番近い画面の角を含んだ矩形とする。即ちトリミング枠制御部５０ａは、所定の範囲外の顔として検出した顔領域の角のうち、画像表示部２８の画面の角と一番近い角を判定する。図５の顔領域５０４の場合、トリミング枠制御部５０ａは、顔領域５０４の角のうち右下の角であると判定する。なお、トリミング枠制御部５０ａは、一番近いと判定した角と接しない２辺を画面端部へ伸ばすようにして算出した領域をトリミング枠の設定禁止領域とする。図５の顔領域５０４の場合、顔領域５０４を含み、顔領域５０４の左辺を下方向へ伸ばし、上辺を右方向へ伸ばした領域をトリミング枠の設定禁止領域として算出する。ここで、トリミング枠の設定禁止領域は図６に示す領域６０１になる。
【００５０】
次に、ステップＳ２０７において、トリミング枠制御部５０ａは、ステップＳ２０６で算出したトリミング枠の設定禁止領域に基づいて、トリミング枠の位置及び大きさの初期値を算出する。画角の中心を変えないようにする場合、算出するトリミング枠を、図６に示すトリミング枠６０２のように、設定禁止領域６０１を含まない領域で、画像の中心が変わらない位置及び大きさにするようにトリミング枠の初期値を算出する。なるべく大きな画角を確保したいのであれば、トリミング枠を図６に示すトリミング枠６０３のように、設定禁止領域６０１を含まない領域で、可能な限り大きな領域となる位置及び大きさにするようにトリミング枠の初期値を算出する。次に、システム制御部５０は、ステップＳ２０８に処理を進め、上述したトリミング編集画面を表示する。
なお、上述したステップＳ２０８では、システム制御部５０がトリミング編集画面を表示する場合について説明したが、この場合に限られない。例えば、ステップＳ２０８において、システム制御部５０は、算出したトリミング枠に基づいてトリミングを実行するようにしてもよい。
【００５１】
このように、第１の実施形態によれば、画像データに付加（設定）された付加情報に基づき、不要だと思われる領域を判定し、トリミング枠の位置及び大きさの初期値を決定したり、制限したりする。従って、撮影後にユーザが所望する構図にするためのトリミングの処理を簡単に行うことができる。
【００５２】
（第２の実施形態）
次に、再生モードにおいて画像表示部２８に撮影された画像と共にトリミング枠を表示する処理について図７を用いて説明する。図７は、再生モードでの動作処理を示すフローチャートである。
まず、ユーザが、モードダイアルスイッチ６０を再生モードにし、操作部７０によりトリミング編集画面に入る指示をする。このとき、ユーザは操作部７０によりトリミングを行いたい画像データを選択する操作を行う。システム制御部５０は、ユーザによる画像データを選択する操作を検出すると（画像選択検出手段）、外部記録媒体１２０に記録された圧縮画像データをメモリ３０に読み出す。そして、システム制御部５０は、メモリ３０に格納された圧縮画像データを圧縮・伸長回路３２に読み込んで伸長処理を行い、処理を終えた画像データをメモリ３０に書き込む。
【００５３】
まず、ステップＳ７０１において、システム制御部５０は、メモリ３０に格納された伸長処理を終えた画像データを画像処理部２０に読み込む。顔領域検出部２０ａは、画像データから顔領域を検出する。
次に、ステップＳ７０２において、システム制御部５０は、顔領域検出部２０ａがステップＳ７０１において顔領域を検出したか否かを判定する。顔領域を検出した場合、ステップＳ７０３に処理を進める。顔領域を検出しない場合、ステップ７０７に処理を進める。
【００５４】
ステップＳ７０３において、システム制御部５０は、外部記録媒体１２０から読み出された画像データ、即ち顔領域が検出された画像データに風景タグが付加情報として付加されているか否かを判定する。風景モードで撮影され、風景タグが付加されている場合はステップＳ７０６に処理を進める。風景タグが付加されていない場合、ステップＳ７０４に処理を進める。
【００５５】
ステップＳ７０６における処理は、第１の実施形態のステップＳ２０６と同様であり、トリミング枠制御部５０ａは、検出された顔領域の顔領域情報からトリミング枠の設定禁止領域を算出する。
次に、ステップＳ７０７において、トリミング枠制御部５０ａは、ステップＳ７０６で算出したトリミング枠の設定禁止領域に基づいて、トリミング枠の位置及び大きさの初期値を算出する。トリミング枠制御部５０ａは、トリミング枠の位置及び大きさの初期値が設定禁止領域を含まないようにトリミング枠を算出（生成）する。
【００５６】
次に、ステップＳ７０８において、システム制御部５０は、トリミング編集画面に移行する。ステップＳ７０８における処理は、第１の実施形態のステップＳ２０８と同様である。
ステップＳ７０４及びステップＳ７０５において、システム制御部５０は検出した顔領域の顔領域情報から意図せず写ってしまった顔領域があるか否か、即ち所定の範囲外の顔が検出されたか否かを判定する。ステップＳ７０４及びステップＳ７０５における処理は、第１の実施形態のステップＳ２０４及びステップＳ２０５と同様である。所定の範囲外の顔が検出された場合、システム制御部５０は、ステップＳ７０６に処理を進める。所定の範囲外の顔が検出されない場合、システム制御部５０は、ステップＳ７０７に処理を進める。
ステップ７０６において、トリミング枠制御部５０ａは、風景モードで撮影したときと同様、検出された顔領域の顔領域情報からトリミング枠の設定禁止領域を算出する。ステップＳ７０６における処理は、第１の実施形態のステップＳ２０６と同様である。
【００５７】
次に、ステップＳ７０７において、トリミング枠制御部５０ａは、ステップＳ７０６で算出したトリミング枠の設定禁止領域に基づいて、トリミング枠の位置及び大きさの初期値を算出する。ステップＳ７０７における処理は、第１の実施形態のステップＳ２０７と同様である。
次に、ステップ７０８において、システム制御部５０は、トリミング編集画面に移行する。ステップＳ７０８における処理は、第１の実施形態のステップＳ２０８と同様である。
ステップＳ７０２において顔領域が検出されなかった場合及びステップＳ７０５において所定の範囲外の顔が検出されなかった場合、ステップＳ７０７に処理を進める。ステップＳ７０７において、トリミング枠制御部５０ａは、トリミング枠の位置及び大きさの初期値を算出する。ここで顔領域が検出されなかった場合、トリミング枠制御部５０ａは、画面の中央の位置にトリミングできる最小の大きさをトリミング枠の位置及び大きさの初期値とする。
なお、ステップＳ７０８において、システム制御部５０は、算出したトリミング枠に基づいてトリミングを実行するようにしてもよい。
【００５８】
このように、第２の実施形態によれば、画像データに付加（設定）された付加情報に基づき、不要だと思われる領域を判定し、トリミング枠の位置及び大きさの初期値を決定したり、制限したりする。従って、撮影後にユーザが所望する構図にするためのトリミングの処理を簡単に行うことができる。
【００５９】
なお、上述した実施形態では、デジタルカメラのみについて例を挙げて説明したが、この場合に限られない。本発明の画像処理装置は、例えばプリンタ等にも適用することができる。
【００６０】
上述した本発明の実施形態における画像処理装置を構成する各手段、並びに画像処理方法の各ステップは、コンピュータのＲＡＭやＲＯＭ等に記憶されたプログラムが動作することによっても実現できる。その場合、このプログラム及びこのプログラムを記録したコンピュータ読み取り可能な記録媒体は本発明に含まれる。
【００６１】
また、本発明は、例えば、システム、装置、方法、プログラムもしくは記録媒体等としての実施形態も可能であり、具体的には、複数の機器からなる装置に適用してもよい。
【００６２】
なお、本発明は、上述した実施形態の機能を実現するソフトウェアのプログラムを、システム又は装置に直接、又は遠隔から供給する。そして、そのシステム又は装置のコンピュータが供給されたプログラムコードを読み出して実行することによっても達成される場合を含む。
【００６３】
従って、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【００６４】
また、コンピュータが、読み出したプログラムを実行することによって、前述した実施形態の機能が実現される。更に、そのプログラムの指示に基づき、コンピュータ上で稼動しているＯＳ等が、実際の処理の一部又は全部を行い、その処理によっても前述した実施形態の機能が実現され得る。
【００６５】
更に、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵ等が実際の処理の一部又は全部を行い、その処理によっても前述した実施形態の機能が実現される。
【図面の簡単な説明】
【００６６】
【図１】画像処理装置を含むデジタルカメラの構成を示す図である。
【図２】第１の実施形態に係る撮影モードでの動作処理を示すフローチャートである。
【図３】撮影した画像の中で顔領域の一例を示す図である。
【図４】撮影した画像にトリミング枠設定禁止領域及びトリミング枠の一例を示す図である。
【図５】撮影した画像の中で検出した顔領域の一例を示す図である。
【図６】撮影した画像にトリミング枠設定禁止領域及びトリミング枠の一例を示す図である。
【図７】第２の実施形態に係る再生モードでの動作処理を示すフローチャートである。
【符号の説明】
【００６７】
１０：撮影レンズ
１２：シャッター
１４：撮像素子
１６：Ａ／Ｄ変換器
１８：タイミング発生回路
２０：画像処理部
２２：メモリ制御部
２４：画像表示メモリ
２６：Ｄ／Ａ変換器
２８：画像表示部
３０：メモリ
３２：画像圧縮・伸長回路
４０：露光制御部
４２：測距制御部
４４：ズーム制御部
４６：バリア制御部
４８：フラッシュ
５０：システム制御部
５２：メモリ
５４：表示部
５６：不揮発性メモリ
６０：モードダイアルスイッチ
６１：シャッターボタン
６２：シャッタースイッチＳＷ１
６４：シャッタースイッチＳＷ２
６６：画像表示ＯＮ／ＯＦＦスイッチ
６８：クイックレビューＯＮ／ＯＦＦスイッチ
７０：操作部
８０：電源制御部
８２：コネクタ
８４：コネクタ
８６：電源
９０：カードコントローラ
９１：インタフェース
９２：コネクタ
９８：記録媒体着脱検知部
１００：デジタルカメラ
１０２：保護手段
１０４：光学ファインダ
１２０：外部記録媒体
【図１】
2009043169.tif 000003
【図２】
2009043169.tif 000004
【図３】
2009043169.tif 000005
【図４】
2009043169.tif 000006
【図５】
2009043169.tif 000007
【図６】
2009043169.tif 000008
【図７】
2009043169.tif 000009